(57)【要約】【課題】  電気機器に設けられたフィルタ部分に堆積するごみ等を除去できるようにする。【解決手段】  電気機器の筐体１の２箇所に、それぞれ筐体内部の気体を外部へ排出する第１及び第２の送風手段２，５、及び各送風手段２，５により排出される気体の出口にそれぞれ第１及び第２のフィルタ４，７を設け、第１の送風手段２が運転中は第２の送風手段５を停止し、第２の送風手段５が運転中は第１の送風手段２を停止するように構成する。【選択図】        図１
2006245431.tif 000002
【特許請求の範囲】
【請求項１】
電気機器の筐体の２箇所に、それぞれ前記筐体内部の気体を外部へ排出する第１及び第２の送風手段、及び各送風手段により排出される気体の出口にそれぞれ第１及び第２のフィルタが設けられてなり、
前記第１の送風手段が運転中は前記第２の送風手段を停止し、
前記第２の送風手段が運転中は前記第１の送風手段を停止する
ことを特徴とする電気機器。
【請求項２】
前記第１及び第２の送風手段の運転を定期的に切り替える
ことを特徴とする請求項１に記載の電気機器。
【発明の詳細な説明】
【技術分野】
【０００１】
本発明は、電気機器に関し、特に筐体内部の熱を放熱する送風手段を備える電気機器に適用して好適な電気機器に関する。
【背景技術】
【０００２】
従来、発熱を伴う電気製品では筐体内の熱を放熱するためにファンを用いることがある。例えば、空気の取り入れ口に空気清浄フィルタ（以下、「フィルタ」と称する。）、出口にファンを設け、筐体内部と外部の空気を強制的に対流させるようにしたテレビジョン受像機が、特許文献１に記載されている。この特許文献１に記載の発明によれば、テレビジョン受像機の筐体内部に塵や埃等が侵入するのを防ぐことができるので、筐体内部で塵や埃等が湿気等と反応して故障などの原因になる恐れがなくなり、また周囲の空気を清浄することもできる。
【特許文献１】特開平１０−１４５７０３号公報
【発明の開示】
【発明が解決しようとする課題】
【０００３】
ところで、特許文献１に記載の方式では、空気の入口となるフィルタ表面にごみ等が付着しフィルタが目詰まりを起こしてしまう可能性がある。しかし、フィルタの目を粗いものにすると、筐体内にごみ等が進入してしまい、フィルタの空気浄化効果が小さくなってしまうという問題があった。
【０００４】
本発明は斯かる点に鑑みてなされたものであり、電気機器に設けられたフィルタ部分に堆積するごみ等を除去できるようにすることを目的とする。
【課題を解決するための手段】
【０００５】
上記課題を解決するため、本発明は、電気機器の筐体の２箇所に、それぞれ前記筐体内部の気体を外部へ排出する第１及び第２の送風手段、及び各送風手段により排出される気体の出口にそれぞれ第１及び第２のフィルタが設けられてなり、第１の送風手段が運転中は第２の送風手段を停止し、第２の送風手段が運転中は第１の送風手段を停止させることを特徴とする。
【０００６】
上述の構成によれば、第１の送風手段が停止中に前記第２の送風手段を運転させるようにしたので、前記第２の送風手段で発生した気流により、第１の送風手段の排気方向に設けられた第１のフィルタを介して筐体内部に浄化された空気が取り込まれるとともに、第１のフィルタ表面にごみ等が堆積する。
次に、第２の送風手段を停止し前記第１の送風手段を運転させると、前記第１の送風手段で発生した気流により、第１のフィルタの表面に堆積していたごみ等が吹き飛ばされ除去される。
【発明の効果】
【０００７】
本発明によれば、フィルタ部分に堆積するごみ等を強制的に除去することができるので、フィルタの目詰まりが防止できるという効果がある。
【発明を実施するための最良の形態】
【０００８】
以下、本発明を実施するための最良の形態の例を説明するが、本発明は以下の例に限定されるものではない。
【０００９】
まず、本発明による電気機器の放熱方式の概念について、図１Ａ，Ｂを参照して説明する。
図１Ａ，Ｂは、電気機器製品の断面を模式的に表した図である。製品筐体１は、筐体内部の熱を外部に放熱するため対向する２つの通気口を有し、それぞれの通気口に、送風手段として機能するファンと、空気清浄用のフィルタを設置する。
本例では、製品筐体１の上部通気口にファン２と、そのファン２が気体を排気する方向、すなわち出口側（図１Ａ，Ｂにおいて、ファン２の上方）に支持台３に支持されたフィルタ４とが設置される。また、製品筐体１の下部通気口には、ファン５と、そのファン５が気体を排気する方向、すなわち出口側（図１Ａ，Ｂにおいて、ファン５の上方）に支持台６に支持されたフィルタ７が設置される。
また、ファン２，５は、図示しないＣＰＵ（Central Processing Unit）等の制御装置により、ファン２が運転中はファン５を停止し、ファン５が運転中はファン２を停止させるよう制御される。
【００１０】
なお、本例では、送風手段としてファンを用いているが、製品筐体１内の気体を外部へ排気する方向に動作するものであれば方式は限定しない。
また、フィルタは、例えば樹脂や金属性のメッシュ形状或いはスリット形状のものを用いる。あるいは、難燃性の繊維を用いた不織布等なども用いることができる。
【００１１】
次に、各ファン２，５の動作とそれにより発生する気流との関係について説明する。
図１Ａに示すように、ファン５が起動中かつファン２が停止している場合、ファン５が発生させた排気方向の気流１０（図１Ａの紙面下方向）により、対向する通気口付近に吸気方向の気流１１（図１Ａの紙面下方向）が発生し、フィルタ４で浄化された空気が製品筐体１内に取り込まれる。このときフィルタ４の表面４ａには、塵や埃、ごみ（以下、これらを「ごみ」と総称する。）等が堆積する。
【００１２】
一定時間後、例えば１時間後にファン５を停止しファン２を起動させる。すると、図１Ｂに示すように、ファン２が発生させた排気方向の気流１２（図１Ｂの紙面上方向）により、対向する通気口付近に吸気方向の気流１３（図１Ｂの紙面上方向）が発生し、フィルタ７で浄化された空気が製品筐体１内に取り込まれる。このときフィルタ４の表面に堆積していたごみ等は、ファン２で発生する排気方向の気流により吹き飛ばされ除去される。また、空気の吸い込み口となるフィルタ７の表面７ａには、ごみが堆積する。
【００１３】
その後、一定時間後にファン２を停止しファン５を再度起動させる。今度は、ファン５により排気方向の気流１０が再度発生するので、フィルタ７の表面７ａに堆積したごみが除去される。上述のようなファン２とファン５の運転の切り替えを所定時間毎（周期的）に行い、気流の方向を定期的に反転させる。
【００１４】
ファン２及びファン５の取り付け位置や位置関係などは、この例に限定するものではなく、製品筐体１内部の熱の放熱が効果的に行える箇所、設計スペースの問題など、種々の条件を考慮して行なうことが好ましい。また、繰り返し周期は、電気機器の使用状態、発熱状況及びフィルタの目の細かさなど、種々の条件を考慮して適宜設定、変更することが望ましい。
【００１５】
上記構成において、ファン２とファン５の運転及び停止を定期的に切り替えることにより、長期に渡りフィルタ４，７の目詰まりを防止することが可能となる。
【００１６】
次に、本発明を適用して好適な透過型の液晶表示装置の一例について、図２の概略断面図を参照して説明する。
図２に示すように、この液晶表示装置は、透過型の液晶表示パネル２１、その背面側に設けられたバックライト装置２２とから構成され、液晶表示装置筐体２０に収納されている。この例では、バックライト装置２２の光源として、複数本の蛍光管２３を用いている。各蛍光管２３から出射された光は、直接あるいは反射板２４で反射した後に、光を拡散させる拡散板２５、液晶表示パネル２１の照明に最適な光学特性を有する照明光に変換する複数の光学シートからなる光学シート群２６を介して、液晶表示パネル２１に照射される。
【００１７】
上述構成の液晶表示装置において、液晶表示装置筐体２０の上面２０ａに、ファン２とフィルタ４を設ける。また、液晶表示装置筐体２０の背面２０ｂ下部に、ファン５とフィルタ７を設ける。そして、図１Ａ，Ｂの例と同様に、ファン２とファン５を定期的に切り替えて起動させる。
【００１８】
図２に示すように、ファン２を停止させた状態でファン５を起動させると、ファン５によりフィルタ７に排気方向の気流１０が発生し、上面１０ａのフィルタ４に吸気方向の気流１１が発生する。これにより、フィルタ４を介して浄化された空気が液晶表示装置筐体２０内部に取り込まれるとともに、フィルタ４にごみ等が堆積する。
そして、一定時間後、ファン５を停止してファン２を起動させると、ファン２によりフィルタ４に排気方向の気流１２が発生し、背面２０ｂのフィルタ７に吸気方向の気流１３が発生する。これにより、フィルタ７で浄化された空気が液晶表示装置筐体１内に取り込まれる。このときフィルタ４の表面に堆積していたごみ等は、ファン２による排気方向の気流によって吹き飛ばされ除去される。また、空気の吸い込み口となるフィルタ７にごみが堆積する。
その後、一定時間後にファン２を停止しファン５を再度起動させると、ファン５によりフィルタ７に排気方向の気流１０と、フィルタ４に吸気方向の気流１１が発生する。これにより、フィルタ７に堆積したごみ等が除去される。
【００１９】
上述のようなファン２とファン５の運転の切り替えを定期的に行ない気流の方向を反転させ、フィルタ４とフィルタ７に堆積したごみ等を除去する。また、バックライト装置２２背面と液晶表示装置筐体２０背面との間が、ファン２又は５によって発生する気流の流路となるので、バックライト装置２０又はバックライト装置２０背面に配置される基板（図示せず）等を直接冷却できるとともに、外部に熱を放熱することができる。
【００２０】
さらに、本発明を適用して好適なＣＲＴモニタの一例について、図３の概略断面図を参照して説明する。
図３において、ＣＲＴモニタ筐体３０の内部には、陰極線管（ＣＲＴ；Cathode-Ray Tube）３１、フライバックトランス３２、アノードキャップ３３、偏向ヨーク３４等の高電圧部が設けられている。
上記構成において、図２と同様に、ＣＲＴモニタ筐体３０の上面３０ａに、ファン２とフィルタ４を設けるとともに、ＣＲＴモニタ筐体３０背面３０ｂ下部に、ファン５とフィルタ７を設ける。そして、図２の例と同様に、ファン２とファン５の運転の切り替えを定期的に行なうことにより、図２の例と同様の作用効果が得られる。
【００２１】
上述したこれらの構成によれば、製品筐体に設けた２つのファンを交互に切り換えて運転し、フィルタに堆積したごみ等を除去するので、長期に渡ってフィルタの目詰まりを防止することができるので、製品の安定した放熱を実現することができる。
【００２２】
なお、本発明は上述した各実施の形態例に限られるものではなく、テレビジョン受像機、パーソナルコンピュータ、ビデオカメラ、ＤＶＤ(Digital Versatile Video Disk)レコーダなど適用される電気機器の種類、２つのファン（送風手段）の取り付け位置や位置関係など、本発明の要旨を逸脱することなく、種々の構成を取り得ることは勿論である。
【図面の簡単な説明】
【００２３】
【図１】本発明の一実施の形態例に係る電気機器の概念を表した図である。
【図２】本発明の一実施の形態例に係る液晶表示装置の概略断面図である。
【図３】本発明の一実施の形態に係るＣＲＴモニタの概略断面図である。
【符号の説明】
【００２４】
１…製品筐体、２，５…ファン、４，７…フィルタ、１０，１１，１２，１３…気流、２０…液晶表示装置筐体、３０…ＣＲＴモニタ筐体
【図１】
2006245431.tif 000003
【図２】
2006245431.tif 000004
【図３】
2006245431.tif 000005